(57)【特許請求の範囲】
【請求項１】
ネットワークを介して接続されたネットワーク端末に対し監視信号を送出して、前記ネットワーク端末の監視を行うネットワーク端末監視装置において、
ネットワーク対応型シーケンサにより前記ネットワーク端末に送出した監視信号への応答を検出し、且つ、検出結果に基づき警報出力装置を作動させ或いは前記警報出力装置の作動を停止させる警報作動情報を出力することを特徴とするネットワーク端末監視装置。
【請求項２】
監視対象である登録されたネットワーク端末に対しネットワーク診断プログラムを送信して、ネットワーク端末が応答できるか否かの確認処理を行うネットワーク診断プログラム送信部と、
シーケンス処理に基づき、送信した前記ネットワーク診断プログラムに対する応答の有無を判断するシーケンサ判断部と、
接続された前記警報出力装置に対し、前記警報出力装置を作動させ或いは前記警報出力装置の作動を停止させるための警報作動情報を出力する警報回路部と
を有することを特徴とする請求項１に記載のネットワーク端末監視装置。
【請求項３】
前記警報回路部は、
監視対象として、接点端子に接続された前記ネットワーク端末に対し接点出力を行う接点出力部から接点出力が入力することにより、前記警報出力装置を作動させ或いは前記警報出力装置の作動を停止させるための警報作動情報を出力することを特徴とする請求項１または２に記載のネットワーク端末監視装置。
【請求項４】
前記警報出力装置は、
表示灯や警報ランプの点灯・明滅手段、或いはブザーやサイレンの吹鳴手段、或いは警報画面が表示される液晶ディスプレイの表示手段からなることを特徴とする請求項１から３のいずれか一項に記載のネットワーク端末監視装置。
【発明の詳細な説明】
【技術分野】
【０００１】
この発明は、ネットワーク端末監視装置に関し、特に、警報機能を備えたネットワーク端末監視装置に関する。
【背景技術】
【０００２】
従来、例えば、パーソナルコンピュータやＩＰ（Ｉｎｔｅｒｎｅｔ  Ｐｒｏｔｏｃｏｌ）電話機等のネットワーク端末を監視する警報機能を備えたネットワーク端末監視装置が知られている。
図５は、従来のネットワーク端末監視装置による監視処理の流れを示すフローチャートである。図５に示すように、先ず、ネットワーク端末監視装置の出力接点に登録された監視対象端末の登録ＩＰアドレス（ＩＰアドレス番号）を、順番に検索する（ステップＳ１）。監視対象となるのは、パーソナルコンピュータ、ハブ（ＨＵＢ）等のネットワーク機器、ＩＰ電話機、ネットワーク対応家庭用電器等のＩＰアドレスを持ったネットワーク端末であり、対象としての設定は、ネットワーク端末監視装置に予め設定されている出力接点数（例えば８接点）まで可能である。
【０００３】
これらＩＰアドレスを持ったネットワーク端末は、イーサネット（登録商標）回線や有線・無線ネットワーク等の汎用ネットワークを介してネットワーク端末監視装置に接続される。
次に、登録された監視対象ネットワーク端末に対し、ネットワーク診断プログラムにより応答できるか否か（死活）の確認処理を行い（ステップＳ２）、確認処理により応答できるか否かを判断する（ステップＳ３）。判断の結果、応答できる（Ｙｅｓ）場合、ステップＳ１に戻って以降の処理を行い、応答できない（Ｎｏ）場合、つまり、一定時間内に監視対象ネットワーク端末からの反応が無い場合は、その接点がオンし接点出力が行われる（ステップＳ４）。
【０００４】
接点出力が行われることにより、出力先の各種警報手段、例えば、表示灯や警報ランプや警報ランプが点灯し、ブザーやサイレンが鳴る。なお、接点出力は、ネットワーク端末監視装置本体に設けられたリセット手段を操作することにより解除（接点復帰）される。
このような従来の監視処理を行うものとして、例えば、「監視システム、監視端末、被監視端末、死活監視プログラム、及び死活監視応答プログラム」（特許文献１参照）がある。
【特許文献１】特開２００６−３３２７８７号公報
【発明の開示】
【発明が解決しようとする課題】
【０００５】
しかしながら、従来のネットワーク端末の監視処理においては、各種警報手段は、予めネットワーク端末監視装置に備えられており、ネットワーク端末監視装置による警報機能は固定されていた。つまり、予め備えられた出力接点毎にしか、監視対象を設定することができないため、監視できるネットワーク端末の数は、ネットワーク端末監視装置に設けられた出力接点数に限られていた。このため、監視対象のネットワーク端末が増えた場合、出力接点の増設により対応することができないので、ネットワーク端末監視装置それ自体を買い増しして対応する必要があった。更に、複数の監視対象に対し一つの警報を設定（例えば、ＩＰ電話機をまとめて一つの接点にする）したくてもできなかった。
【０００６】
また、監視処理の作動は接点からの出力の有無のみであったため、使い勝手が良くなかった。つまり、監視対象は既に応答可能な状態にあるのに、リセット手段を操作しない限り応答不能のままであったり、監視対象は応答不能な状態にあるのに、リセット手段を操作してしまったために応答可能な状態に戻ってしまったり、更に、接点出力を解除（接点復帰）できるのは、ネットワーク端末監視装置に設けたリセット手段のみであった。
この発明の目的は、設けられた出力接点数に限られることなく、監視対象のネットワーク端末の増加に対応することができ、また、使い勝手良く監視処理ができるネットワーク端末監視装置を提供することである。
【課題を解決するための手段】
【０００７】
上記目的を達成するため、この発明に係るネットワーク端末監視装置は、ネットワークを介して接続されたネットワーク端末に対し監視信号を送出して、前記ネットワーク端末の監視を行うネットワーク端末監視装置において、ネットワーク対応型シーケンサにより前記ネットワーク端末に送出した監視信号への応答を検出し、且つ、検出結果に基づき警報出力装置を作動させ或いは前記警報出力装置の作動を停止させる警報作動情報を出力することを特徴としている。
【発明の効果】
【０００８】
この発明によれば、ネットワークを介して接続されたネットワーク端末に対し監視信号を送出して、ネットワーク端末の監視を行うネットワーク端末監視装置は、ネットワーク対応型シーケンサによって、ネットワーク端末に送出された監視信号への応答が検出され、その検出結果に基づいて、警報出力装置を作動させ、或いは作動中の警報出力装置の作動を停止させる。これにより、設けられた出力接点数に限られることなく、監視対象のネットワーク端末の増加に対応することができ、また、使い勝手良く監視処理ができる。
【発明を実施するための最良の形態】
【０００９】
以下、この発明を実施するための最良の形態について図面を参照して説明する。
図１は、この発明の一実施の形態に係るネットワーク端末監視装置の概略構成を示すブロック図である。図１に示すように、ネットワーク端末監視装置１０は、アドレス検索部１１、ネットワーク診断プログラム（Ｐａｃｋｅｔ  ＩＮｔｅｒｎｅｔ  Ｇｒｏｐｅｒ：ＰＩＮＧ）送信部１２、シーケンサ判断部１３、接点出力部１４、及び警報回路部１５を有しており、ネットワーク１６を介して接続された監視対象に対し、接続状態を監視する。警報回路部１５には、警報出力装置１７が接続されている。
【００１０】
監視対象となるのは、パーソナルコンピュータ、ハブ（ＨＵＢ）等のネットワーク機器、ＩＰ電話機、ネットワーク対応家庭用電器等のＩＰアドレスを持ったネットワーク端末１８である。これらＩＰアドレスを持ったネットワーク端末１８は、イーサネット（登録商標）回線や有線・無線ネットワーク等の汎用のネットワーク１６を介して、ネットワーク端末監視装置１０に接続される。
【００１１】
アドレス検索部１１は、ネットワーク端末監視装置１０に予め登録されたネットワーク端末１８のアドレスを検索する。ＰＩＮＧ送信部１２は、監視対象である登録されたネットワーク端末１８に対しＰＩＮＧを送信して、ネットワーク端末１８が応答できるか否か（死活）の確認処理を行う。シーケンサ判断部１３は、シーケンス処理に基づき、送信したＰＩＮＧに対する応答の有無を判断し、接点出力部１４は、接点出力情報の入力により、監視対象として、ネットワーク端末監視装置１０の接点端子に接続されたネットワーク端末１８に対し、接点出力を行う。
【００１２】
警報回路部１５は、接点出力部１４から接点出力が入力することにより、接続された警報出力装置１７に対し、警報出力装置１７を作動させ、或いは作動中の警報出力装置１７の作動を停止させるための警報作動情報、つまり、警報出力装置１７を作動させる作動信号、或いは作動中の警報出力装置１７の作動を停止させる作動停止信号を出力する。警報出力装置１７は、例えば、表示灯や警報ランプ等の点灯・明滅手段、或いはブザーやサイレン等の吹鳴手段、或いは警報画面が表示される液晶ディスプレイ（Ｌｉｑｕｉｄ  Ｃｒｙｓｔａｌ  Ｄｉｓｐｌａｙ：ＬＣＤ）等の表示手段からなる。
【００１３】
図２は、図１のネットワーク端末監視装置によるネットワーク端末監視システムの具体例を概念的に示す説明図である。図２に示すように、ネットワーク端末監視システムは、ネットワーク端末監視装置１０と、ネットワーク端末監視装置１０により監視されるＩＰアドレスを持ったネットワーク端末１８と、ネットワーク端末監視装置１０による監視結果を警報として表示する警報出力装置１７とを有している。
【００１４】
この警報出力装置１７は、例えば、点滅及び点灯可能な赤色ランプからなり、容易に視認できるように、ネットワーク端末監視装置１０の外表面部に設置されている。ネットワーク端末１８は、例えば、ディスクトップ型パーソナルコンピュータ１８ａ、ノート型パーソナルコンピュータ１８ｂ、ネットワーク対応家庭用電器１８ｃ、及びハブ（ＨＵＢ）１８ｄ等であり、ＬＡＮ（Ｌｏｃａｌ  Ａｒｅａ  Ｎｅｔｗｏｒｋ）１９を介してネットワーク端末監視装置１０に接続されている。なお、ハブ１８ｄには、ＩＰ電話機１８ｅが接続されている。
【００１５】
ネットワーク端末１８及び警報出力装置１７は、接点端子数（即ち、接点出力数）に対応して設けられている。この例では、ディスクトップ型パーソナルコンピュータ１８ａと、ノート型パーソナルコンピュータ１８ｂと、ネットワーク対応家庭用電器１８ｃと、ＩＰ電話機１８ｅが接続されたハブ１８ｄとの、４系統のネットワーク端末１８に対応して、４個の警報出力装置１７が設けられている。
【００１６】
図３は、図２のネットワーク端末監視システムにおけるネットワーク端末監視の処理の流れを示すフローチャートである。図３に示すように、先ず、ネットワーク端末監視装置１０の出力接点に監視対象端末のＩＰアドレス（ＩＰアドレス番号）を登録する（ステップＳ１０１）。監視対象となるのは、パーソナルコンピュータ１８ａ，１８ｂ、ハブ（ＨＵＢ）等のネットワーク機器１８ｄ、ＩＰ電話機１８ｅ、ネットワーク対応家庭用電器１８ｃ等のＩＰアドレスを持ったネットワーク端末であり、対象としての設定は、ネットワーク端末監視装置１０に予め設定されている出力接点数（例えば、同一セグメントにおいて２５４接点）まで可能である。
【００１７】
ＩＰアドレスは、ネットワークの階層にとらわれることなく設定することができるが、ネットワークポリシーによるところもある。これらＩＰアドレスを持ったネットワーク端末は、イーサネット（登録商標）回線や有線・無線ネットワーク等の汎用ネットワークを介してネットワーク端末監視装置１０に接続される。
次に、登録されたＩＰアドレスを読み込む（ステップＳ１０２）。ネットワーク端末監視装置１０を電源オンにより立ち上げた後、例えば、約３０秒のみ読み込みを実施し、登録順に検索する。ＩＰアドレスの読み込み後、シーケンサ判断による端末監視ループ処理を開始する（ステップＳ１０３）。端末監視の開始により、監視対象に対しＰＩＮＧを送信して応答できるか否か（死活）の確認処理を行う（ステップＳ１０４）。
【００１８】
次に、例えば、５秒間待つ間にＰＩＮＧ送信への応答あるか否かを判断する（ステップＳ１０５）。判断の結果、応答が無い（ｎｏ）場合、正常状態ではないと認められるので、接点出力処理を行うための信号を出力した（ステップＳ１０６）後、次の監視対象のＩＰアドレスに移行する（ステップＳ１０７）。一方、応答がある（Ｙｅｓ）場合、正常状態であると認められるので、次の監視対象のＩＰアドレスに移行する（ステップＳ１０７）。その後、端末監視ループ処理を繰り返す（ステップＳ１０８）。
このように、ネットワーク端末監視装置１０は、一定時間（設定可能）内に監視対象ネットワーク端末からのＰＩＮＧ応答があれば、次のＩＰアドレスに向けてＰＩＮＧ送信を行い、ＰＩＮＧ応答がなければ、設定されたフラグＮＧを立て、立ったフラグにより接点出力をオンさせて接点出力処理を行う。
【００１９】
図４は、図３の接点出力処理の流れを示すフローチャートである。図４に示すように、ネットワーク端末監視装置１０は、接点出力処理を行うための信号が入力する（ステップＳ２０１）と、監視対象をパーソナルコンピュータグループやＩＰ電話機グループ等に分けるためのグループ条件設定を行う（ステップＳ２０２）。グループ条件設定により、画面グループが設定された後、接点出力の選択が行われる（ステップＳ２０３）。
【００２０】
接点出力の選択の結果、警報画面の接点出力が行われる（ステップＳ２０４）と、表示手段に警報画面が表示される（ステップＳ２０５）。その後、監視対象が正常か否かが判断され（ステップＳ２０６）、判断の結果、監視対象が正常でない（Ｎｏ）場合、ステップＳ２０５へ戻って以後の処理が行われ、一方、監視対象が正常である（Ｙｅｓ）場合、画面表示を終了する（ステップＳ２０７）。
また、接点出力の選択の結果、ブザーの接点出力が行われる（ステップＳ２０８）と、ブザーが鳴動する（ステップＳ２０９）。その後、リセット信号が入力したか否かが判断され（ステップＳ２１０）、判断の結果、リセット信号が入力しない（Ｎｏ）場合、ステップＳ２０９へ戻って以後の処理が行われ、一方、例えばリセットボタンが操作されてリセット信号が入力した（Ｙｅｓ）場合、ブザーの鳴動を停止する（ステップＳ２１１）。
【００２１】
また、接点出力の選択の結果、警報ランプの接点出力が行われる（ステップＳ２１２）と、警報ランプが点滅する（ステップＳ２１３）。その後、リセット信号が入力したか否かが判断され（ステップＳ２１４）、判断の結果、リセット信号が入力しない（Ｎｏ）場合、ステップＳ２１３へ戻って以後の処理が行われ、一方、例えばリセットボタンが操作されてリセット信号が入力した（Ｙｅｓ）場合、監視対象が正常か否かが判断される（ステップＳ２１５）。判断の結果、監視対象が正常でない（Ｎｏ）場合、点滅していた警報ランプを点灯状態にした（ステップＳ２１６）後、ステップＳ２１５へへ戻って以後の処理が行われ、監視対象が正常である（Ｙｅｓ）場合、警報ランプを消灯する（ステップＳ２１７）。
【００２２】
このように、警報回路部１５は、警報画面の接点出力が行われる場合は表示手段に警報画面を表示させ、ブザーの接点出力が行われる場合はブザーを鳴動させ、警報ランプの接点出力が行われる場合は警報ランプを点滅させることにより、警報出力装置１７を作動させると共に、作動後、監視対象が正常である場合は画面表示を終了し、リセット信号が入力した場合はブザーの鳴動を停止し、監視対象が正常である場合は警報ランプを消灯することにより、警報出力装置１７の作動を停止させる。なお、警報画面表示、ブザー鳴動、警報ランプ点灯は、それぞれ単独で行う他、二種類以上を組み合わせて行っても良い。
【００２３】
つまり、ネットワーク端末監視装置１０は、ネットワーク対応シーケンサであり、ネットワーク１６に接続可能である。このシーケンサには、警報回路（警報回路部１５）をソフトウェア対応により付加することができるため、回路構成を自由に組むことが可能である。また、警報回路は、ソフトウェアによるものに限らず、ハードリレー（ハードリレーシーケンス）により構成しても良く、更に、ウェブ（Ｗｏｒｌｄ  Ｗｉｄｅ  Ｗｅｂ）での操作監視が可能である。
【００２４】
このため、監視対象のネットワーク端末が増えた場合でも、ネットワーク端末監視装置それ自体を買い増しして対応する必要が無く、また、複数の監視対象に対し一つの警報を設定（例えば、ＩＰ電話機をまとめて一つの接点にする）ことも可能になる。更に、監視対象が応答可能な状態にある場合、或いは監視対象が応答不能な状態にある場合に、それぞれに応じた対応が可能になり、適切に対応することができ、使い勝手が良くなる。
【００２５】
上述したように、この発明に係るネットワーク端末監視装置は、ネットワークを介して接続されたネットワーク端末に対し監視信号を送出して、前記ネットワーク端末の監視を行うネットワーク端末監視装置において、ネットワーク対応型シーケンサにより前記ネットワーク端末に送出した監視信号への応答を検出し、且つ、検出結果に基づき警報出力装置を作動させ或いは前記警報出力装置の作動を停止させる警報作動情報を出力することを特徴としている。
【００２６】
また、この発明において、監視対象である登録されたネットワーク端末に対しネットワーク診断プログラムを送信して、ネットワーク端末が応答できるか否かの確認処理を行うネットワーク診断プログラム送信部と、シーケンス処理に基づき、送信した前記ネットワーク診断プログラムに対する応答の有無を判断するシーケンサ判断部と、接続された前記警報出力装置に対し、前記警報出力装置を作動させ或いは前記警報出力装置の作動を停止させるための警報作動情報を出力する警報回路部とを有することが好ましい。
【００２７】
また、この発明において、前記警報回路部は、監視対象として、接点端子に接続された前記ネットワーク端末に対し接点出力を行う接点出力部から接点出力が入力することにより、前記警報出力装置を作動させ或いは前記警報出力装置の作動を停止させるための警報作動情報を出力することを特徴とすることが好ましい。
また、この発明において、前記警報出力装置は、表示灯や警報ランプの点灯・明滅手段、或いはブザーやサイレンの吹鳴手段、或いは警報画面が表示される液晶ディスプレイの表示手段からなることを特徴とすることが好ましい。
【図面の簡単な説明】
【００２８】
【図１】この発明の一実施の形態に係るネットワーク端末監視装置の概略構成を示すブロック図である。
【図２】図１のネットワーク端末監視装置によるネットワーク端末監視システムの具体例を概念的に示す説明図である。
【図３】図２のネットワーク端末監視システムにおけるネットワーク端末監視の処理の流れを示すフローチャートである。
【図４】図３の接点出力処理の流れを示すフローチャートである。
【図５】従来のネットワーク端末監視装置による監視処理の流れを示すフローチャートである。
【符号の説明】
【００２９】
１０  ネットワーク端末監視装置
１１  アドレス検索部
１２  ＰＩＮＧ送信部
１３  シーケンサ判断部
１４  接点出力部
１５  警報回路部
１６  ネットワーク
１７  警報出力装置
１８  ネットワーク端末
１８ａ  ディスクトップ型パーソナルコンピュータ
１８ｂ  ノート型パーソナルコンピュータ
１８ｃ  ネットワーク対応家庭用電器
１８ｄ  ハブ
１８ｅ  ＩＰ電話機
【図１】
0004856655.tif 000002
【図２】
0004856655.tif 000003
【図３】
0004856655.tif 000004
【図４】
0004856655.tif 000005
【図５】
0004856655.tif 000006